(57)【要約】【課題】消費者が携帯し易いように折畳むことができると共に、易損傷性商品を保護することができ、また、繁用必需品を容易に取出すことができる携帯用買い物袋を提供する。【解決手段】柔軟性を有する材質で形成され、購入した商品を収容する収容部と、この収容部内に商品を出し入れするための開口部と、この開口部の周縁部に設けられ、開口部を上にして収容部を吊下げ状態に保持する把持部とを備えた折畳み可能な携帯用買い物袋であり、上記収容部には、柔軟性を有する材質で形成されて両端部がこの収容部に取り付けられ、所定の物品を収容部に保持する吊り棚部が設けられていることを特徴とする。【選択図】図６
2008022879.tif 000002
【特許請求の範囲】
【請求項１】
柔軟性を有する材質で形成され、購入した商品を収容する収容部と、この収容部内に商品を出し入れするための開口部と、この開口部の周縁部に設けられ、開口部を上にして収容部を吊下げ状態に保持する把持部とを備えた折畳み可能な携帯用買い物袋であり、上記収容部には、柔軟性を有する材質で形成されて両端部がこの収容部に取り付けられ、所定の物品を収容部に保持する吊り棚部が設けられていることを特徴とする携帯用買い物袋。
【請求項２】
吊り棚部は、一端側が収容部の開口部周縁部に固定的に取り付けられると共に他端側が収容部の開口部周縁部に着脱可能に取り付けられた帯状部材で形成されている請求項１に記載の携帯用買い物袋。
【請求項３】
吊り棚部は、幅の広い帯状部材で形成されている請求項２に記載の携帯用買い物袋。
【請求項４】
帯状部材には、伸縮可能な幅の狭い伸縮帯状部材が設けられている請求項２又は３に記載の携帯用買い物袋。
【請求項５】
吊り棚部は、所定の物品が接する物品接触面に滑り止処理が施されている請求項１〜４のいずれかに記載の携帯用買い物袋。
【請求項６】
物品接触面の滑り止処理は、吊り棚部の物品接触面に滑り止部材を取り付けて形成されている請求項５に記載の携帯用買い物袋。
【請求項７】
所定の物品が、購入した破損及び／又は損傷し易い易損傷性商品である請求項１〜６のいずれかに記載の携帯用買い物袋。
【請求項８】
所定の物品が、買い物袋の使用中に時々取り出して使用する必要のある繁用必需品である請求項１〜６のいずれかに記載の携帯用買い物袋。
【発明の詳細な説明】
【技術分野】
【０００１】
本発明は、消費者が商店で購入した商品を収容すると共に折畳んで携帯することができる携帯用買い物袋に関する。
【背景技術】
【０００２】
【特許文献１】特開２００２−３０８２９０号公報
【特許文献２】実用新案登録第３０９０５４３号公報
【０００３】
従来、商店で商品を購入した際には、商店で商品を使い捨て買い物袋に収容して顧客に渡している。使い捨て買い物袋は、環境保全に対する問題意識の向上から一部が再利用（リサイクル）されるようになってきているが、ほとんどは廃棄されているのが現状である。そこで、商店で商品を購入した際には、消費者が持参した買い物袋に商品を収容するようにする取り組みが奨励されるようになってきている。このような取り組みを推進するために、消費者が折畳んで携帯することができる下記のような携帯用買い物袋が提案されている。
【０００４】
第１には、荷物を収納するための買い物袋を所定の整形形状に折り畳み可能に構成し、この買い物袋の前記整形形状に折り畳んだときの外面に相当する箇所に、該折り畳んだ買い物袋を衣類等の人体装着品に着脱自在に取り付けるための取付部材を設けたことを特徴とする取付式買い物袋である（特許文献１参照）。
【０００５】
第２には、四角形に形成した上蓋と下蓋を重ね合すことによって箱体を形成し、該上下蓋に手を挿入する穴を穿設し、該蓋の対向する一方の辺に袋体の上端を接合して取り付け、該袋体の底に前記蓋体よりもやや小さい底板を設け、該袋体の両端にひだを設けて拡大可能とし、買い物時には箱を構成する上下の蓋を外して袋体を広げて使い、収納に当っては袋体を伸ばし、底板側から丸めて上下の蓋の中に収納することを特徴とした携帯用簡易買い物袋である(特許文献２参照)。
【発明の開示】
【発明が解決しようとする課題】
【０００６】
しかしながら、上記従来技術の買い物袋では、消費者が自ら商店で購入した商品を収容するために、買い物袋が折畳み可能であって消費者が買い物袋を携帯し易くなっているが、機能性の面からは消費者が買い物袋を持参して商店で購入した商品を収容するに留まっている。買い物袋には、商店で購入した商品を収容するという機能だけではなく、商店で購入した商品を買い物袋に収容する際に、破損及び／又は損傷し易い易損傷性商品を保護することができ、また、商店で購入した商品及び／又は消費者が持参している物品であって、買い物袋の使用中に時々取り出して使用する必要のある繁用必需品を容易に取出すことができる機能を有することが望まれている。
【０００７】
そこで、本発明は、上記従来技術の課題を解決するためになされたものであって、その目的とするところは、消費者が携帯し易いように折畳むことができると共に、易損傷性商品を保護することができ、また、繁用必需品を容易に取出すことができる携帯用買い物袋を提供することにある。
【課題を解決するための手段】
【０００８】
すなわち、本発明は、柔軟性を有する材質で形成され、購入した商品を収容する収容部と、この収容部内に商品を出し入れするための開口部と、この開口部の周縁部に設けられ、開口部を上にして収容部を吊下げ状態に保持する把持部とを備えた折畳み可能な携帯用買い物袋であり、上記収容部には、柔軟性を有する材質で形成されて両端部がこの収容部に取り付けられ、所定の物品を収容部に保持する吊り棚部が設けられていることを特徴とする携帯用買い物袋である。
【０００９】
本発明において、吊り棚部は、一端側が収容部の開口部周縁部に固定的に取り付けられると共に他端側が収容部の開口部周縁部に着脱可能に取り付けられた帯状部材で形成されている。
【００１０】
また、本発明において、吊り棚部は、幅の広い帯状部材で形成されている。
【００１１】
また、本発明において、帯状部材には、伸縮可能な幅の狭い伸縮帯状部材が設けられている。
【００１２】
また、本発明において、吊り棚部は、所定の物品が接する物品接触面に滑り止処理が施されている。
【００１３】
また、本発明において、物品接触面の滑り止処理は、吊り棚部の物品接触面に滑り止部材を取り付けて形成されている。
【００１４】
また、本発明において、所定の物品が、購入した破損及び／又は損傷し易い易損傷性商品である。
【００１５】
また、本発明において、所定の物品が、買い物袋の使用中に時々取り出して使用する必要のある繁用必需品である。
【発明の効果】
【００１６】
本発明によれば、消費者が携帯し易いように折畳むことができると共に、易損傷性商品を保護することができ、また、繁用必需品を容易に取出すことができる携帯用買い物袋を提供することができる。
【発明を実施するための最良の形態】
【００１７】
以下に、本発明の実施形態について図面を参照して説明する。
【００１８】
[実施形態]
図１〜図９は、本発明に係る携帯用買い物袋の実施形態を示す図である。
【００１９】
図１は、本実施形態における携帯用買い物袋１０を示す正面図である。図２は、本実施形態における携帯用買い物袋１０を示す側面図である。携帯用買い物袋１０は、柔軟性を有する材質で形成され、購入した商品を収容する収容部１２、収容部１２内に商品を出し入れするための開口部１４、及び、開口部１４の周縁部に設けられ、開口部１４を上にして収容部１２を吊下げ状態に保持する把持部１６を備えている。
【００２０】
携帯用買い物袋１０の収容部１２は、正面視で略矩形状に形成されている。収容部１２の側面には、それぞれ内側に折り込まれた折込部１２ａが形成されている。収容部１２は、例えば、１枚の綿、ナイロン、ポリエステル等の織物（以下、単に「織物」と称す）を重ね折りして側端部を裁着することによって形成される。
【００２１】
携帯用買い物袋１０の開口部１４は、収容部１２の上端に形成されている。開口部１４は、例えば、収容部１２が１枚の織物を重ね折りして側端部を裁着することによって形成される場合、重ねて折られる端に対して反対側の端である。
【００２２】
携帯用買い物袋１０の把持部１６は、開口部１４の前後の周縁部にそれぞれ正面視で逆Ｕ字状となるように細長帯状部材で形成されている。把持部１６は、例えば、収容部１２が１枚の織物を重ね折りして側端部を裁着することによって形成される場合、開口部１４から上方に表裏それぞれ２本の細長帯状部材が収容部１２と一体に延びて形成され、表裏それぞれ２本の細長帯状部材の上端を逢着することで形成される。
【００２３】
開口部１４及び把持部１６の端は、内側に折畳まれて内面に逢着されている。
【００２４】
図３は、本実施形態における携帯用買い物袋１０の開口部１４を広げた状態を示す上面図である。図４は、本実施形態における携帯用買い物袋１０の吊り棚部１８を示す図である。携帯用買い物袋１０の収容部１２の上部には、柔軟性を有する材質で形成されて両端部が収容部１２の上部に取り付けられ、所定の物品を収容部１２内上部に保持する吊り棚部１８が設けられている。
【００２５】
携帯用買い物袋１０の吊り棚部１８は、一端側が収容部１２の開口部１４周縁部に固定的に取り付けられると共に他端側が収容部１２の開口部１４周縁部に着脱可能に取り付けられた幅の広い帯状部材２０で形成されている。
【００２６】
携帯用買い物袋１０の吊り棚部１８である帯状部材２０は、略円状に形成されている帯状部材本体２２、帯状部材本体２２の左右方向の一端部に設けられ帯状部材本体２２を収容部１２の開口部１４周縁部の左右方向の一端部の内側に固定的に取り付ける一端部材２４、及び、帯状部材本体２２の左右方向の他端部に設けられ帯状部材本体２２を収容部１２の開口部１４周縁部の左右方向の他端部の内側に着脱可能に取り付ける他端部材２６を有している。
【００２７】
帯状部材２０の帯状部材本体２２には、所定の物品が接する物品接触面（表面）に滑り止処理が施されている。物品接触面の滑り止処理は、帯状部材本体２２の物品接触面に滑り止部材２８を取り付けて形成されている。尚、滑り止部材２８の材質としては、例えば、塩化ビニル樹脂、オレフィン樹脂等が挙げられる。
【００２８】
帯状部材２０の滑り止部材２８の表面側には、伸縮可能な幅の狭い複数の伸縮帯状部材３０が設けられている。伸縮帯状部材３０は、滑り止部材２８の表面の上下方向の両端部にそれぞれ長手方向の端部が帯状部材本体２２に取り付けられて設けられている。
【００２９】
尚、帯状部材本体２２に対する滑り止部材２８及び伸縮帯状部材３０の取り付けは、帯状部材本体２２を縁取る縁取り部材３２と帯状部材本体２２の間に滑り止部材２８の端部及び伸縮帯状部材３０の長手方向の端部を挿入して帯状部材本体２２と縁取り部材３２を逢着することでなされている。
【００３０】
帯状部材２０の一端部材２４は、収容部１２の開口部１４周縁部の左右方向の一端部の内側に固定的に取り付けられている。帯状部材２０の他端部材２６は、帯状部材本体２２を収容部１２の開口部１４周縁部の左右方向の他端部の内側に着脱可能に取り付けるための一方の面ファスナー３４が裏面の２箇所に取り付けられている。尚、収容部１２の開口部１４周縁部の左右方向の他端部の内側には、面ファスナー３４に対応するように他方の面ファスナー３６が２箇所に取り付けられている。
【００３１】
また、帯状部材２０の一端部材２４には、表面の中央部に一方の面ファスナー３８が取り付けられている。帯状部材２０の帯状部材本体２２には、左右方向の他端部の裏面に細長帯状片４０が取り付けられている。細長帯状片４０の先端部の表面には、他方の面ファスナー４２が取り付けられている。
【００３２】
また、帯状部材２０の帯状部材本体２２には、裏面の左右方向の一端部側に一方の面ファスナー４４が取り付けられている。
【００３３】
尚、帯状部材本体２２、一端部材２４、他端部材２６、縁取り部材３２、及び細長帯状片４０は、例えば、綿、ナイロン、ポリエステル等の織物から形成される。また、伸縮帯状部材３０は、例えば、ゴム紐から形成される。
【００３４】
図５は、本実施形態における携帯用買い物袋１０の吊り棚部１８の第１の使用状態を示す上面図である。図６は、本実施形態における携帯用買い物袋１０の吊り棚部１８の第２の使用状態を示す上面図である。携帯用買い物袋１０の吊り棚部１８を第１の使用状態で使用する場合には、帯状部材２０の他端部材２６の面ファスナー３４を収容部１２の面ファスナー３６に取り付ける。携帯用買い物袋１０の吊り棚部１８を第２の使用状態で使用する場合には、帯状部材２０の細長帯状片４０の面ファスナー４２を帯状部材２０の一端部材２４の面ファスナー３８に取り付ける。
【００３５】
図７及び図８は、携帯用買い物袋１０の折畳み手順を示す図である。最初に、吊り棚部１８の細長帯状片４０を持って収容部１２から吊り棚部１８を取出して吊り棚部１８の表面が正面となるように上方に伸ばすと共に、２つの把持部１６が手前となるようにする（図７（ａ））。次に、収容部１２を左右方向に３つ折りにする（図７（ｂ））。次に、収容部１２を上下方向に２つ折りにする（図７（ｃ））。次に、収容部１２を吊り棚部１８に重ね折りする（図８（ｄ））。次に、吊り棚部１８を左右方向に収容部１２に重ね折りする（図８（ｅ））。次に、吊り棚部１８及び収容部１２を上下方向に２つ折りして吊り棚部１８の細長帯状片４０の面ファスナー４２を吊り棚部１８の面ファスナー４４に取り付ける（図８（ｆ））。
【００３６】
図９は、本実施形態における携帯用買い物袋１０の吊り棚部１８に所定の物品５０を保持した使用状態を示す斜視図である。携帯用買い物袋１０の吊り棚部１８では、所定の物品５０が吊り棚部１８の表面に載置され２本の伸縮帯状部材３０が掛け渡されて保持される。所定の物品５０は、購入した破損及び／又は損傷し易い易損傷性商品、又は、買い物袋の使用中に時々取り出して使用する必要のある繁用必需品である。易損傷性商品としては、例えば、パック入り卵、パック入り豆腐等が挙げられる。繁用必需品としては、例えば、ペットボトル入り飲料、哺乳瓶等が挙げられる。
【００３７】
以上、本実施形態によれば、消費者が携帯し易いように折畳むことができると共に、易損傷性商品を保護することができ、また、繁用必需品を容易に取出すことができる携帯用買い物袋を提供することができる。
【００３８】
尚、本発明は上記実施形態に限定されるものではなく、本発明の要旨の範囲内において種々の変形実施が可能である。
【図面の簡単な説明】
【００３９】
【図１】図１は、本発明に係る実施形態における携帯用買い物袋を示す正面図である。
【図２】図２は、本発明に係る実施形態における携帯用買い物袋を示す側面図である。
【図３】図３は、本発明に係る実施形態における携帯用買い物袋の開口部を広げた状態を示す上面図である。
【図４】図４は、本発明に係る実施形態における携帯用買い物袋の吊り棚部を示す図である。
【図５】図５は、本発明に係る実施形態における携帯用買い物袋の吊り棚部の第１の使用状態を示す上面図である。
【図６】図６は、本発明に係る実施形態における携帯用買い物袋の吊り棚部の第２の使用状態を示す上面図である。
【図７】図７は、携帯用買い物袋の折畳み手順を示す図である。
【図８】図８は、携帯用買い物袋の折畳み手順を示す図である。
【図９】図９は、本発明に係る実施形態における携帯用買い物袋の吊り棚部に所定の物品を保持した使用状態を示す斜視図である。
【符号の説明】
【００４０】
１０：携帯用買い物袋、１２：収容部、１４：開口部、１６：把持部、１８：吊り棚部、２０：帯状部材、３０：伸縮帯状部材、５０：物品
【図１】
2008022879.tif 000003
【図２】
2008022879.tif 000004
【図３】
2008022879.tif 000005
【図４】
2008022879.tif 000006
【図５】
2008022879.tif 000007
【図６】
2008022879.tif 000008
【図７】
2008022879.tif 000009
【図８】
2008022879.tif 000010
【図９】
2008022879.tif 000011